(57)【特許請求の範囲】
【請求項１】
プラグフレームに上方側から被せられるコ字枠状の第１ベース体と、
該第１ベース体の外側を覆うようにプラグフレームの下方側から被せられる、当該第１ベース体よりも幅広なコ字枠状の第２ベース体と、
下面側開放のカバー体とからなる光ファイバコネクタプラグ用カバー装置であって、
前記両ベース体同士は、第１ベース体のコ字枠先端に突設された突起を、該突起に対向すべく第２ベース体の中央面における左右対称位置に穿設した孔に嵌め込むことにより互いに合致されることでプラグフレームの外側を覆い、
前記第１ベース体のコ字枠左右側壁の外面側にはそれぞれ回転軸が突設して形成され、
該回転軸は回動付勢手段を有し、
前記第２ベース体のコ字枠左右側壁にはそれぞれ軸受孔が穿設して形成され、
前記カバー体は、左右一対のアーム部を有し、該アーム部それぞれには支持孔を有し、
前記第１ベース体の回転軸と前記第２ベース体の軸受孔とが互いに合致されたときに両ベース体の左右側壁それぞれによって間隙部が形成され、
該間隙部に前記カバー体の左右アーム部が介装され、前記支持孔が前記回転軸により軸支され、前記プラグフレームに上側から被せられるように回動付勢させることで、露出しているフェルール先端部分を覆うようにしたことを特徴とする光ファイバコネクタプラグ用カバー装置。
【請求項２】
前記回動付勢手段は、前記第１ベース体の回転軸周囲の凹陥部にコイルバネが装入され、該コイルバネの一端を、前記凹陥部の内壁に形成された凹部に係架させると共に、前記カバー体後部側の左右側面から対向突設した前記一対のアーム部にそれぞれ形成されている支持孔を前記第１ベース体の回転軸に装着させると同時に、当該支持孔の近傍に穿設した小孔に、前記コイルバネの他端を挿着させて成る請求項１記載の光ファイバコネクタプラグ用カバー装置。
【請求項３】
プラグフレームに上方側から被せられるコ字枠状の第１ベース体と、
該第１ベース体の外側を覆うようにプラグフレームの下方側から被せられる、当該第１ベース体よりも幅広なコ字枠状の第２ベース体と、
下面側開放のカバー体とからなる光ファイバコネクタプラグ用カバー装置であって、
前記両ベース体同士は、第１ベース体のコ字枠先端に突設された突起を、該突起に対向すべく第２ベース体の中央面における左右対称位置に穿設した孔に嵌め込むことにより互いに合致されることでプラグフレームの外側を覆い、
前記第１ベース体のコ字枠左右側壁の外面側にはそれぞれスライド用突起が形成され、
該スライド用突起の中央には回転軸が突設して形成され、
前記第２ベース体のコ字枠左右側壁には前記回転軸が挿入される軸受孔が穿設され、
前記カバー体のアーム部には前記スライド用突起が挿入されて前後方向にスライド可能とするスライドガイド用長孔と、該スライドガイド用長孔に通じる後側の回動用円孔とが穿設され、
前記第１ベース体のスライド用突起、前記カバー体のアーム部に形成されたスライドガイド用長孔および前記回動用円孔それぞれからスライド及び回転を可能にするスライド回転機構が構成され、
前記第１ベース体の回転軸と前記第２ベース体の軸受孔とが互いに合致されたときに両ベース体の左右側壁それぞれによって間隙部が形成され、
該間隙部に前記カバー体の左右アーム部が介装され、左右アーム部は前記スライド回転機構のスライド用突起により軸支され、
前記カバー体を手動操作によって前方に移動させ、前記スライド用突起を前記スライドガイド用長孔後側の回動用円孔に係入させてから当該カバー体を前記スライド用突起を軸にして回転させることでフェルール先端部分が開放され、
前記カバー体を手動操作によって下方側に閉じるよう当該カバー体を回動用円孔の位置で前記スライド用突起を軸にして回転させ、該スライド用突起を前記スライドガイド用長孔にスライド係入させることでフェルール先端部分を突出させたプラグフレームを全方位で覆うようにしたことを特徴とする光ファイバコネクタプラグ用カバー装置。
【請求項４】
前記スライド回転機構は、前記第１ベース体に形成された円形状の突起の上下対称箇所を平坦に切欠形成することで上下平坦面が形成されて成る前記スライド用突起と、前記上下平坦面がスライド係入可能となるよう前記カバー体の左右両側から対向延設した一対のアーム部に形成された前記スライドガイド用長孔と、該スライドガイド用長孔に通じ、前記スライド用突起の直径と同じ長さの内径を有する前記後側の回動用円孔とによって形成された請求項３記載の光ファイバコネクタプラグ用カバー装置。
【請求項５】
前記カバー体の左右アーム部それぞれに突設され且つ先端に凸部を有するフックアームと、該フックアームに対向して前記第１ベース体に形成された左右一対の係止凹部とを備え、プラグフレームを覆った状態の前記カバー体が前記第１ベース体側に移動して前記スライド用突起の上下平坦面が、前記カバー体のアーム部に形成された回動用円孔位置から前記スライドガイド用長孔内にスライド係入された位置でフックアームの凸部が第１ベース体の係止凹部に係合してカバー体が固定される請求項４記載の光ファイバコネクタプラグ用カバー装置。
【発明の詳細な説明】
【技術分野】
【０００１】
本発明は、光ファイバコネクタプラグの先端フェルール突き出し部を保護するための光ファイバコネクタプラグ用カバー装置に関する。
【背景技術】
【０００２】
従来、光ファイバコネクタプラグの先端フェルール突き出し部における光接続先端部に人の手が触れたり、光接続先端部から放射される光が誤って人の目に入らないようにするために、特許文献１に開示されているように着脱自在な保護キャップが使用される。この保護キャップの構造は、不透明な弾性部材にて、内径がフェルールの外径に略合致するよう有底円筒状に形成されている。そして、この保護キャップをフェルール先端に冠着して被覆することにより、フェルールの当該被覆部分が汚れや損傷等から保護され、且つ光接続先端部から不用意に放射される光が遮断されるものとしている。
【特許文献１】実用新案登録第３０７７６７８号公報
【発明の開示】
【発明が解決しようとする課題】
【０００３】
しかしながら、従来における保護キャップは、フェルール先端に冠着して被覆するものであるため、保護キャップの装着に際し、光接続先端部を汚染させたり損傷させたりする等の虞れがあり、保護キャップの取付操作性に関しても大きな問題が生じる。また、このように保護キャップ自体が着脱自在な構成であるため、取り外された保護キャップを紛失させてしまう虞れもある。
【０００４】
そこで、本発明は、叙上のような従来存した諸事情に鑑みなされたもので、光ファイバコネクタプラグの不使用時においては、光接続先端部を汚染させたり損傷させたりせずに、先端フェルール突き出し部が容易に保護された状態とすることができ、しかも光ファイバコネクタプラグの使用時には、従来のように保護キャップを取り外すような操作をせずに、先端フェルール突き出し部における光接続先端部が容易に露出された状態にすることのできる光ファイバコネクタプラグ用カバー装置を提供することを目的とする。
【課題を解決するための手段】
【０００５】
上述した課題を解決するため、本発明にあっては、プラグフレームに上方側から被せられるコ字枠状の第１ベース体と、
該第１ベース体の外側を覆うようにプラグフレームの下方側から被せられる、当該第１ベース体よりも幅広なコ字枠状の第２ベース体と、
下面側開放のカバー体とからなる光ファイバコネクタプラグ用カバー装置であって、
前記両ベース体同士は、第１ベース体のコ字枠先端に突設された突起を、該突起に対向すべく第２ベース体の中央面における左右対称位置に穿設した孔に嵌め込むことにより互いに合致されることでプラグフレームの外側を覆い、
前記第１ベース体のコ字枠左右側壁の外面側にはそれぞれ回転軸が突設して形成され、
該回転軸は回動付勢手段を有し、
前記第２ベース体のコ字枠左右側壁にはそれぞれ軸受孔が穿設して形成され、
前記カバー体は、左右一対のアーム部を有し、該アーム部それぞれには支持孔を有し、
前記第１ベース体の回転軸と前記第２ベース体の軸受孔とが互いに合致されたときに両ベース体の左右側壁それぞれによって間隙部が形成され、
該間隙部に前記カバー体の左右アーム部が介装され、前記支持孔が前記回転軸により軸支され、前記プラグフレームに上側から被せられるように回動付勢させることで、露出しているフェルール先端部分を覆うようにしたことを特徴とする。
【０００６】
前記回動付勢手段は、前記第１ベース体の回転軸周囲の凹陥部にコイルバネが装入され、該コイルバネの一端を、前記凹陥部の内壁に形成された凹部に係架させると共に、前記カバー体後部側の左右側面から対向突設した前記一対のアーム部にそれぞれ形成されている支持孔を前記第１ベース体の回転軸に装着させると同時に、当該支持孔の近傍に穿設した小孔に、前記コイルバネの他端を挿着させて成る。
【０００７】
プラグフレームに上方側から被せられるコ字枠状の第１ベース体と、
該第１ベース体の外側を覆うようにプラグフレームの下方側から被せられる、当該第１ベース体よりも幅広なコ字枠状の第２ベース体と、
下面側開放のカバー体とからなる光ファイバコネクタプラグ用カバー装置であって、
前記両ベース体同士は、第１ベース体のコ字枠先端に突設された突起を、該突起に対向すべく第２ベース体の中央面における左右対称位置に穿設した孔に嵌め込むことにより互いに合致されることでプラグフレームの外側を覆い、
前記第１ベース体のコ字枠左右側壁の外面側にはそれぞれスライド用突起が形成され、
該スライド用突起の中央には回転軸が突設して形成され、
前記第２ベース体のコ字枠左右側壁には前記回転軸が挿入される軸受孔が穿設され、
前記カバー体のアーム部には前記スライド用突起が挿入されて前後方向にスライド可能とするスライドガイド用長孔と、該スライドガイド用長孔に通じる後側の回動用円孔とが穿設され、
前記第１ベース体のスライド用突起、前記カバー体のアーム部に形成されたスライドガイド用長孔および前記回動用円孔それぞれからスライド及び回転を可能にするスライド回転機構が構成され、
前記第１ベース体の回転軸と前記第２ベース体の軸受孔とが互いに合致されたときに両ベース体の左右側壁それぞれによって間隙部が形成され、
該間隙部に前記カバー体の左右アーム部が介装され、左右アーム部は前記スライド回転機構のスライド用突起により軸支され、
前記カバー体を手動操作によって前方に移動させ、前記スライド用突起を前記スライドガイド用長孔後側の回動用円孔に係入させてから当該カバー体を前記スライド用突起を軸にして回転させることでフェルール先端部分が開放され、
前記カバー体を手動操作によって下方側に閉じるよう当該カバー体を回動用円孔の位置で前記スライド用突起を軸にして回転させ、該スライド用突起を前記スライドガイド用長孔にスライド係入させることでフェルール先端部分を突出させたプラグフレームを全方位で覆うようにしたことを特徴とする。
【０００８】
前記スライド回転機構は、前記第１ベース体に形成された円形状の突起の上下対称箇所を平坦に切欠形成することで上下平坦面が形成されて成る前記スライド用突起と、前記上下平坦面がスライド係入可能となるよう前記カバー体の左右両側から対向延設した一対のアーム部に形成された前記スライドガイド用長孔と、該スライドガイド用長孔に通じ、前記スライド用突起の直径と同じ長さの内径を有する前記後側の回動用円孔とによって形成されたものとする。
【０００９】
前記カバー体の左右アーム部それぞれに突設され且つ先端に凸部を有するフックアームと、該フックアームに対向して前記第１ベース体に形成された左右一対の係止凹部とを備え、プラグフレームを覆った状態の前記カバー体が前記第１ベース体側に移動して前記スライド用突起の上下平坦面が、前記カバー体のアーム部に形成された回動用円孔位置から前記スライドガイド用長孔内にスライド係入された位置でフックアームの凸部が第１ベース体の係止凹部に係合してカバー体が固定されるものとする。
【発明の効果】
【００１０】
本発明によれば、光ファイバコネクタプラグの不使用時においては、光接続先端部を汚染させたり損傷させたりせずに、先端フェルール突き出し部が容易に保護された状態とすることができ、しかも光ファイバコネクタプラグの使用時には、従来のように保護キャップを取り外すような操作をせずに、先端フェルール突き出し部における光接続先端部が容易に露出された状態にすることができる。
【００１１】
すなわち、これは本発明が、プラグフレームに上方側から被せられるコ字枠状の第１ベース体と、
該第１ベース体の外側を覆うようにプラグフレームの下方側から被せられる、当該第１ベース体よりも幅広なコ字枠状の第２ベース体と、
下面側開放のカバー体とからなる光ファイバコネクタプラグ用カバー装置であって、
前記両ベース体同士は、第１ベース体のコ字枠先端に突設された突起を、該突起に対向すべく第２ベース体の中央面における左右対称位置に穿設した孔に嵌め込むことにより互いに合致されることでプラグフレームの外側を覆い、
前記第１ベース体のコ字枠左右側壁の外面側にはそれぞれ回転軸が突設して形成され、
該回転軸は回動付勢手段を有し、
前記第２ベース体のコ字枠左右側壁にはそれぞれ軸受孔が穿設して形成され、
前記カバー体は、左右一対のアーム部を有し、該アーム部それぞれには支持孔を有し、
前記第１ベース体の回転軸と前記第２ベース体の軸受孔とが互いに合致されたときに両ベース体の左右側壁それぞれによって間隙部が形成され、
該間隙部に前記カバー体の左右アーム部が介装され、前記支持孔が前記回転軸により軸支され、前記プラグフレームに上側から被せられるように回動付勢させることで、露出しているフェルール先端部分を覆うようにしたからであり、これにより、従来のように保護キャップを取り外すような操作をせずに、カバー体を開くことで先端フェルール突き出し部における光接続先端部を容易に露出した状態にすることができ、また、光ファイバコネクタプラグの不使用時においては、相手側コネクタジャックから引き抜いた際に、回動付勢手段によりカバー体が自動的に閉じられることで、先端フェルール突き出し部が容易に保護された状態にすることができる。
【００１２】
前記回動付勢手段は、前記第１ベース体の回転軸周囲の凹陥部にコイルバネが装入され、該コイルバネの一端を、前記凹陥部の内壁に形成された凹部に係架させると共に、前記カバー体後部側の左右側面から対向突設した前記一対のアーム部にそれぞれ形成されている支持孔を前記第１ベース体の回転軸に装着させると同時に、当該支持孔の近傍に穿設した小孔に、前記コイルバネの他端を挿着させて成るので、カバー体に対する回動付勢手段をコンパクトに形成することができる。
【００１３】
プラグフレームに上方側から被せられるコ字枠状の第１ベース体と、
該第１ベース体の外側を覆うようにプラグフレームの下方側から被せられる、当該第１ベース体よりも幅広なコ字枠状の第２ベース体と、
下面側開放のカバー体とからなる光ファイバコネクタプラグ用カバー装置であって、
前記両ベース体同士は、第１ベース体のコ字枠先端に突設された突起を、該突起に対向すべく第２ベース体の中央面における左右対称位置に穿設した孔に嵌め込むことにより互いに合致されることでプラグフレームの外側を覆い、
前記第１ベース体のコ字枠左右側壁の外面側にはそれぞれスライド用突起が形成され、
該スライド用突起の中央には回転軸が突設して形成され、
前記第２ベース体のコ字枠左右側壁には前記回転軸が挿入される軸受孔が穿設され、
前記カバー体のアーム部には前記スライド用突起が挿入されて前後方向にスライド可能とするスライドガイド用長孔と、該スライドガイド用長孔に通じる後側の回動用円孔とが穿設され、
前記第１ベース体のスライド用突起、前記カバー体のアーム部に形成されたスライドガイド用長孔および前記回動用円孔それぞれからスライド及び回転を可能にするスライド回転機構が構成され、
前記第１ベース体の回転軸と前記第２ベース体の軸受孔とが互いに合致されたときに両ベース体の左右側壁それぞれによって間隙部が形成され、
該間隙部に前記カバー体の左右アーム部が介装され、左右アーム部は前記スライド回転機構のスライド用突起により軸支され、
前記カバー体を手動操作によって前方に移動させ、前記スライド用突起を前記スライドガイド用長孔後側の回動用円孔に係入させてから当該カバー体を前記スライド用突起を軸にして回転させることでフェルール先端部分が開放され、
前記カバー体を手動操作によって下方側に閉じるよう当該カバー体を回動用円孔の位置で前記スライド用突起を軸にして回転させ、該スライド用突起を前記スライドガイド用長孔にスライド係入させることでフェルール先端部分を突出させたプラグフレームを全方位で覆うようにしたので、光ファイバコネクタプラグの不使用時においては、光接続先端部を汚染させたり損傷させたりせずに、先端フェルール突き出し部がスライド回転機構によりカバー体で容易に保護された状態とすることができ、しかもカバー体によって塵埃を完全に遮断することができる。また、光ファイバコネクタプラグの使用時には、従来のように保護キャップを取り外すような操作をせずに、スライド回転機構によりカバー体で先端フェルール突き出し部における光接続先端部が容易に露出された状態にすることができる。
【００１４】
前記スライド回転機構は、前記第１ベース体に形成された円形状の突起の上下対称箇所を平坦に切欠形成することで上下平坦面が形成されて成る前記スライド用突起と、前記上下平坦面がスライド係入可能となるよう前記カバー体の左右両側から対向延設した一対のアーム部に形成された前記スライドガイド用長孔と、該スライドガイド用長孔に通じ、前記スライド用突起の直径と同じ長さの内径を有する前記後側の回動用円孔とによって形成することができる。
【００１５】
前記カバー体の左右アーム部それぞれに突設され且つ先端に凸部を有するフックアームと、該フックアームに対向して前記第１ベース体に形成された左右一対の係止凹部とを備え、プラグフレームを覆った状態の前記カバー体が前記第１ベース体側に移動して前記スライド用突起の上下平坦面が、前記カバー体のアーム部に形成された回動用円孔位置から前記スライドガイド用長孔内にスライド係入された位置でフックアームの凸部が第１ベース体の係止凹部に係合してカバー体が固定されるので、スライド回転機構によりカバー体で先端フェルール突き出し部のあるプラグフレームの前面から後方にかけて全方位で覆うようにすることができる。
【発明を実施するための最良の形態】
【００１６】
以下、図面を参照して本発明を実施するための最良の一形態を説明すると、図において示される符号１は、光ファイバコネクタプラグにおいて、光ファイバケーブルＳがフェルールＱ、ホルダー（図示せず）等を介して内部に挿入され、且つ前方の開口部側からフェルールＱ先端を露出させると共に、後方部分にはゴム等から成るブーツＲが取り付けられて成る略矩形筐体状のプラグフレームＰに対し可動自在となって取り付けられるカバー装置本体である。
【００１７】
カバー装置本体１は、図１乃至図４、図８に示すように、プラグフレームＰの後方部分に上方側から被せられるコ字枠状の第１ベース体２と、該第１ベース体２の外側を覆うように下方側から被せられるよう当該第１ベース体２よりも幅広なコ字枠状の第２ベース体３と、互いに合致させた両ベース体の左右側壁それぞれによって形成された間隙部に左右アーム部１３が介装され、回動付勢手段を備えた回転軸により軸支され(詳細は後述)、プラグフレームＰに上側から被せられるように回動付勢させることで、露出しているフェルール先端部分を常時覆うことができるようにした下面側を開放させた略矩形箱枠状のカバー体４とから構成されている。
【００１８】
このときカバー体４の前面側は、図５、図６に示すように、プラグフレームＰの前面に合致対応するように略矩形平面状に形成され、且つプラグフレームＰの開口部側から突出したフェルールＱの先端部分を避けるようにカバー体４前面の一部を外側に向けて若干突出させてある。図中４ａはこの突出部を示す。また、第２ベース体３自体は、カバー体４を回動させるときの把持部として使用されるものとしてある。
【００１９】
図１に示すように、第１ベース体２のコ字枠両側の外面側それぞれには円形状の凹陥部５を介して回転軸６が突設され、この回転軸６の先端に形成された小径状の係合突起６Ａを、該第１ベース体２の外側を覆う第２ベース体３のコ字枠両側側面に穿設された軸受孔７に挿入するようにしてある。また、両ベース体２、３同士は、第１ベース体２のコ字枠先端に突設された矩形状の突起８を、該突起８に対向すべく第２ベース体３の中央面における左右対称位置に穿設した矩形状の孔９に嵌め込むことにより一体化されるようにしてある。
【００２０】
前記回動付勢手段１１は、図２に示すように、第１ベース体２の回転軸６周囲の凹陥部５にコイルバネ１２が装入され、該コイルバネ１２の一端を、凹陥部５の外側内壁に形成された略段差状の凹部５Ａに係架させてある。そして、カバー体４後部側の左右側面から対向突設した一対のアーム部１３にそれぞれ形成されている支持孔１３Ａを第１ベース体２の回転軸６に装着させると同時に、当該支持孔１３Ａの近傍に穿設した小孔１３Ｂに、コイルバネ１２の他端を挿着させたものとし、これによってカバー体４自体に、フェルールＱ先端部分を常時覆う方向に回動付勢させる力が常時働くようにしてある。
【００２１】
次に、以上のように構成された最良の形態についての使用、動作の一例について説明すると、光ファイバコネクタプラグを不図示の相手側コネクタジャックに差し込む場合、図１０に示すように、片手で第２ベース体３の左右側壁を持ち、カバー体４を他方の手でもってプラグフレームＰから上側へ回動させてフェルールＱ先端部分を露出させる。
【００２２】
一方、図９に示すように、光ファイバコネクタプラグを相手側コネクタジャックから引き抜くと、回動付勢手段１１によりカバー体４がプラグフレームＰ側に自動的に閉じて、フェルールＱ先端部分を覆う状態となる。
【００２３】
図１１乃至図２１には、本実施の形態の他例が示されている。
本実施の形態においては、カバー体４の開閉を手動による前後スライド操作と回動操作とによって行なうスライド回転機構２０を備えると共に、フェルールＱ先端部分を突出させたプラグフレームＰの前面から上下左右にかけて全方位で覆うものとした構成としてある。尚、前記した実施の形態における構成部分と略同じ箇所には同じ符号を附することでその詳細な説明を省略する。
【００２４】
すなわち、スライド回転機構２０は、図１１乃至図１４に示すように、第１ベース体２のコ字枠両側の外面側それぞれに、円形状の突起の上下対称箇所を平坦に切欠形成して成る上下平坦面を有するスライド用突起２１と、該スライド用突起２１の中央に突設した回転軸６と、第１ベース体２の上面前側における左右対称位置に設けた略矩形状の係止凹部２２とをそれぞれ形成してある。そして、スライド用突起２１の回転軸６は、下方側から配される第２ベース体３の軸受孔７に挿入されるものとしてある。
【００２５】
一方、カバー体４は、フェルールＱ先端部分を突出させたプラグフレームＰの前面から前後左右にかけての全方位で覆うことができるよう前面が凸状の矩形キャップ体によって形成され、その左右両側から対向延設した一対のアーム部１３には、前記スライド用突起２１の上下平坦面がスライド係入可能となる縦幅員を有する前側のスライドガイド用長孔２３と、該スライドガイド用長孔２３に通じ、前記スライド用突起２１の直径と同じ長さの内径を有する後側の回動用円孔２４とによって全体が略キー孔状となって形成されている。
【００２６】
また、カバー体４の左右アーム部１３それぞれの上縁側には、第１ベース体２の左右一対の係止凹部２２に対向して先端下面に略三角状の凸部２５Ａを有するフックアーム２５がアーム部１３に沿って一体形成されており、カバー体４が第１ベース体２側に移動してスライド用突起２１の上下平坦面が回動用円孔２４位置からスライドガイド用長孔２３内にスライド係入された際には、図１３、図１５、図１８、図１９に示すように、該フックアーム２５の凸部２５Ａが第１ベース体２の係止凹部２２に係合してカバー体４が固定されるようにしてある。
【００２７】
一方、カバー体４が第１ベース体２から前方側に移動してスライド用突起２１の上下平坦面がスライドガイド用長孔２３に沿ってスライド後退された際には、図１２、図２０、図２１に示すように、該フックアーム２５の凸部２５Ａが第１ベース体２の係止凹部２２から外れると同時に、スライド用突起２１の円弧面と回動用円孔２４とが係合してカバー体４自体を上側へ回動できるようにしてある。
【００２８】
次に、以上のように構成された第２の実施の形態についての使用、動作の一例について説明すると、光ファイバコネクタプラグを不図示の相手側コネクタジャックに差し込む場合、図２０に示すように、片手で第２ベース体３の左右側壁を持ち、カバー体４を他方の手でもってプラグフレームＰから前方に移動させて、フックアーム２５の凸部２５Ａを第１ベース体２の係止凹部２２から外してから、図２１に示すように、カバー体４をプラグフレームＰから上側へ回動させることでフェルールＱ先端部分を露出させる。
【００２９】
一方、不使用の場合には、光ファイバコネクタプラグを相手側コネクタジャックから引き抜いてから、図２０に示すように、カバー体４を下方側に閉じるように回動させてプラグフレームＰを覆ってから、図１９に示すように、カバー体４を第１ベース体２側に移動してフックアーム２５の凸部２５Ａを第１ベース体２の係止凹部２２に係合することで、カバー体４自体は非回動状態に固定され、これによりフェルールＱ先端部分を覆う状態となる。
【図面の簡単な説明】
【００３０】
【図１】本発明を実施するための最良の形態を示すカバー装置本体の分解斜視図である。
【図２】同じく第１ベース体に回動付勢手段としてのコイルバネを組み付けた状態の分解斜視図である。
【図３】同じく第１ベース体にカバー体を組み付けた後に第２ベース体を組み付ける状態の斜視図である。
【図４】同じく第１ベース体、カバー体、第２ベース体それぞれを組み付けた状態を示す斜視図である。
【図５】同じく第１ベース体、カバー体、第２ベース体それぞれを組み付けた状態を示す平面図である。
【図６】同じく第１ベース体、カバー体、第２ベース体それぞれを組み付けた状態を示す底面図である。
【図７】同じく第１ベース体、カバー体、第２ベース体それぞれを組み付けた状態を示す縦断面図である。
【図８】同じく第１ベース体、カバー体それぞれをプラグフレームに組み付け、第２ベース体を分解した状態を示す斜視図である。
【図９】同じく第１ベース体、カバー体、第２ベース体それぞれをプラグフレームに組み付けた状態を示す斜視図である。
【図１０】同じくカバー体を開放させてプラグフレームのフェルール先端側を露出させた状態の斜視図である。
【図１１】本発明を実施するための最良の形態における他例を示すカバー装置本体の分解斜視図である。
【図１２】同じく第１ベース体にカバー体を組み付け、第１ベース体に対しカバー体を前方側へ移動させた状態の分解斜視図である。
【図１３】同じく第１ベース体にカバー体を組み付け、第１ベース体側にカバー体を移動させた状態の分解斜視図である。
【図１４】同じく第１ベース体、カバー体、第２ベース体それぞれを組み付けた状態を示す斜視図である。
【図１５】同じく第１ベース体、カバー体、第２ベース体それぞれを組み付けた状態を示す平面図である。
【図１６】同じく第１ベース体、カバー体、第２ベース体それぞれを組み付けた状態を示す底面図である。
【図１７】同じく第１ベース体、カバー体、第２ベース体それぞれを組み付けた状態を示す縦断面図である。
【図１８】同じく第１ベース体、カバー体それぞれをプラグフレームに組み付け、第２ベース体を分解した状態を示す斜視図である。
【図１９】同じく第１ベース体、カバー体、第２ベース体それぞれをプラグフレームに組み付けた状態を示す斜視図である。
【図２０】同じくカバー体によってプラグフレームのフェルール先端側を覆った状態の斜視図である。
【図２１】同じくカバー体を開放させてプラグフレームのフェルール先端側を露出させた状態の斜視図である。
【符号の説明】
【００３１】
Ｐ    プラグフレーム
Ｑ    フェルール
１    カバー装置本体
２    第１ベース体
３    第２ベース体
４    カバー体
５    凹陥部
６    回転軸
７    軸受孔
８    突起
９    孔
１１  回動付勢手段
１２  コイルバネ
１３  アーム部
２０  スライド回転機構
２１  スライド用突起
２２  係合凹部
２３  スライドガイド用長孔
２４  回動用円孔
２５  フックアーム
【図１】
0004579787.tif 000002
【図２】
0004579787.tif 000003
【図３】
0004579787.tif 000004
【図４】
0004579787.tif 000005
【図５】
0004579787.tif 000006
【図６】
0004579787.tif 000007
【図７】
0004579787.tif 000008
【図８】
0004579787.tif 000009
【図９】
0004579787.tif 000010
【図１０】
0004579787.tif 000011
【図１１】
0004579787.tif 000012
【図１２】
0004579787.tif 000013
【図１３】
0004579787.tif 000014
【図１４】
0004579787.tif 000015
【図１５】
0004579787.tif 000016
【図１６】
0004579787.tif 000017
【図１７】
0004579787.tif 000018
【図１８】
0004579787.tif 000019
【図１９】
0004579787.tif 000020
【図２０】
0004579787.tif 000021
【図２１】
0004579787.tif 000022